(57)【要約】　　　（修正有）【課題】指挿入部に指を挿入し、その指を動かすだけで簡単に取扱うことができ、次の行に移動するという操作を指の自然な動きに応じて行うことができる指に装着できる覆いプレートであり、その指挿入部を適宜簡単に交換できる指に装着できる覆いプレートを提供する。【解決手段】所定形状の覆いプレート本体１と、覆いプレート本体の適所に取り付けた指をはめ込む指挿入部２とを備えた指に装着できる覆いプレートにおいて、指挿入部の下部に覆いプレート本体１との係合部を備えるとともに、覆いプレート本体１の適所に指挿入部２の被係合部を備え、指挿入部２は覆いプレートに対し着脱自在に構成したことを特徴とする指に装着できる覆いプレート。【選択図】　　　　　図１
2004114630.tif 000002
【特許請求の範囲】
【請求項１】
所定形状の覆いプレート本体と、覆いプレート本体の適所に取り付けた指をはめ込む指挿入部とを備えた指に装着できる覆いプレートにおいて、指挿入部の下部に上記覆いプレート本体との係合部を備えるとともに、上記覆いプレート本体の適所に指挿入部の被係合部を備え、指挿入部は覆いプレートに対し着脱自在に構成したことを特徴とする指に装着できる覆いプレート。
【発明の詳細な説明】
【０００１】
【発明の属する技術分野】
この発明は、指に装着できる覆いプレートに関し、単に指に装着して文書等を検索したり、数字等を照合したりする場合に便利に使えるだけでなく、使用する角度を自由に変更して、好適な角度で隣接する行を覆い隠すことができる、指に装着できる覆いプレートに関する。
【０００２】
【従来の技術】
従来、目視で文書等を検索したり、数字等を照合したりする場合、定規や厚紙等で隣接する行を覆い隠しながら、該当する行を検索したり照合することが行なわれている。しかしながら定規や厚紙等では把持しにくいために、それらを次の行に移動する操作を行ないにくいという問題があった。
【０００３】
そこで、定規や厚紙等に突起状のつまみを取り付け、定規や厚紙を扱いやすくすることに容易に想到する。すなわちこのような手段は、覆いプレートにおいてはほとんど見受けないが、定規においては以前から慣用されていることである。
【０００４】
しかしながら、上記つまみを取り付けた定規等においては、その取扱いに、少なくとも２本の指でつまみ等をつまみ上げることが必要であり、次の行に移動するという操作がわずらわしいという欠点があった。
【０００５】
そこで出願人は、先に指挿入部に指を挿入し、その指を動かすだけで簡単に取扱うことができ、次の行に移動するという操作を指の自然な動きに応じて行うことができる、指に装着できる覆いプレートを提案した（特願２００１‐３７７７２）。
【０００６】
【発明が解決しようとする課題】
しかしながら、上記従来の指に装着できる覆いプレートでは、人それぞれに異なる指の太さに十分対応することができない問題点があった。そこでこの発明は、あらゆる指先の太さや形状に迅速に対応することができる指に装着できる覆いプレートを提供することを目的とするものである。
【０００７】
【課題を解決するための手段】
すなわちこの発明の指に装着できる覆いプレートは、所定形状の覆いプレート本体と、覆いプレート本体の適所に取り付けた指をはめ込む指挿入部とを備えた指に装着できる覆いプレートにおいて、指挿入部の下部に上記覆いプレート本体との係合部を備えるとともに、上記覆いプレート本体の適所に指挿入部の被係合部を備え、指挿入部は覆いプレートに対し着脱自在に構成したことを特徴とするものである。
【０００８】
この発明の指に装着できる覆いプレートは以上のように構成したので、指挿入部に指を挿入し、その指を動かすだけで簡単に取扱うことができ、次の行に移動するという操作を指の自然な動きに応じて行うことができる、非常に便利な指に装着できる覆いプレートにおいて、人それぞれに異なる指先の太さや形状に迅速に適合させることが可能な覆いプレートを提供することができるようになった。
【０００９】
【発明の実施の形態】
以下、この発明の指に装着できる覆いプレートの実施の形態を図面に基いて詳細に説明する。
【００１０】
図１はこの発明の指に装着できる覆いプレートの一実施例を示す平面図、図２はその組付け段階を示す斜視図、図３は指挿入部の中央位置で切断した場合の断面図である。
【００１１】
図１ないし図３において、１は矩形の覆いプレート本体で、この覆いプレート本体１の適所には、指３をはめ込む指挿入部２が、覆いプレート本体１上に回転可能に取り付けられている。上記覆いプレート本体１としては種々の素材が使用可能であるが、半透明の硬質プラスチック板を好適に使用することができる。図では覆いプレート本体１として矩形のものを示したが、文書の特定の行や桁等を覆い隠せるものであれば、その形状は任意に決定することができる。
【００１２】
また上記指挿入部２としては、弾性を有するプラスチック板で構成することができる。この指挿入部２の形状もほぼリング状であれば、何ら限定されるものではない。またこの指挿入部２は、開放端４を備えたリング状に形成されている。すなわち、開放端４が指挿入部２に使用した素材の弾性によってかなりの自由度で開閉し、リングサイズが変えられるので、挿入する指のサイズが異なる場合にも十分に対応できるようになっている。
【００１３】
さらにに上記指挿入部２は、図２および図３に示すように、より幅広い指のサイズ、形状に適応できるように着脱自在としている。
【００１４】
上記指挿入部２は底部の一端が伸延しており、さらに反対方向に折り返されて係合部５が形成されている。その係合部５のほぼ中心には、後述する覆いプレート本体１に設けた被係合部７に適合する孔６が開けられるとともに、その孔から係合部先端までが開口して被係合部７の通路となっている。
【００１５】
一方、覆いプレート本体１にはその上面の所望位置に断面がＴ字状（きのこ状）の被係合部７が設けられている。被係合部７上部のテーブル部８は、覆いプレート本体１との間に指挿入部２の係合部５の厚さ分の隙間を形成するようになっている。そして指挿入部２の係合部５を覆いプレート本体１上面と被係合部７のテーブル部８との隙間に押し込み、指挿入部２の係合部５の孔６が被係合部７の突起状の軸９部分にはまり込むようにする。指挿入部２は、その係合部５が覆いプレート本体１上の被係合部７にはまり込んだ状態でも回動は自由であるので、前述のように使用者が自由な角度で使用することができる。なお、図１に示すように覆いプレート上に目盛１０と円定規１１を所望により形成しておくと、より一層便利である。
【００１６】
この実施例では以上のように構成したので、指挿入部を使用者の指に合わせてまたは任意のサイズで複数のものを用意しておいて、使用者が選択できるようにすることができ、簡易迅速に交換することができる。
【００１７】
【発明の効果】
この発明の指に装着できる覆いプレートは以上のように構成したので、指挿入部に指を挿入し、その指を動かすだけで簡単に取扱うことができ、次の行に移動するという操作を指の自然な動きに応じて行うことができる、非常に便利な指に装着できる覆いプレートを提供することができるようになった。
【００１８】
またこの発明によれば、隣接する行を覆い隠す際の指の角度が、それぞれの利用者ごとに異なった場合でも、指挿入部の覆いプレート本体への取付角度を自由に変えることができ、指を指挿入部にはめ込んで覆いプレートを操作する際に非常に取扱いやすい、指に装着できる覆いプレートを提供することができるようになった。
【００１９】
さらにまたこの発明によれば、指挿入部が覆いプレートに対して着脱自在に係合可能に構成されているので、指挿入部のサイズを幾つか用意しておいて、使用する人が自分の指に合った指挿入部を覆いプレート本体へ取付することができ、より多くの人に適合可能な、指に装着できる覆いプレートを提供することができるようになった。
【図面の簡単な説明】
【図１】この発明の指に装着できる覆いプレートの１実施例を示す平面図である。
【図２】その組付け段階を示す斜視図である。
【図３】指挿入部の中央位置で切断した場合の断面図である。
【符号の説明】
１　覆いプレート本体
２　指挿入部
３　指
４　開放端
５　係合部
６　孔
７　被係合部
８　テーブル部
９　軸
１０　目盛
１１　円定規
【図１】
2004114630.tif 000003
【図２】
2004114630.tif 000004
【図３】
2004114630.tif 000005